(57)【特許請求の範囲】
【請求項１】
取付パネルに嵌合する本体と、コネクタハウジングに嵌合する取付部とを備え、該取付パネルに該コネクタハウジングを固定させるためのコネクタ用取付アダプタにおいて、
前記取付部には、前記コネクタハウジングに係合する可撓舌片部が設けられ、前記本体には、前記取付パネルを受け入れるパネル受入部と、該可撓舌片部に対向する開口部とが設けられ、係合時に該可撓舌片部が撓んだ際に該可撓舌片部が該開口部に進入し、かつ、前記パネル受入部が前記取付パネルを受け入れた際に、前記開口部が塞がれ、前記可撓舌片部の撓みが規制又は阻止されることを特徴とするコネクタ用取付アダプタ。
【請求項２】
前記取付部が前記コネクタハウジングに形成されたスライド挿入部にスライド嵌合し、前記可撓舌片部が該スライド挿入部に設けられた係止突起に当接して撓むことを特徴とする請求項１記載のコネクタ用取付アダプタ。
【請求項３】
前記パネル受入部に、前記取付パネルを受け入れる挿入空間に突出する係止突起が設けられたことを特徴とする請求項１又は２に記載のコネクタ用取付アダプタ。
【請求項４】
前記取付部には、前記本体に支柱部を介して連なり、前記スライド挿入部に嵌合するガイド部が設けられたことを特徴とする請求項２又は３記載のコネクタ用取付アダプタ。
【発明の詳細な説明】
【０００１】
【発明の属する技術分野】
本発明は、ブラケット等の車体パネルに、電線の端末部に接続された端子金具を収容するコネクタを固定させるコネクタ用取付アダプタに関するものである。
【０００２】
【従来の技術】
自動車等の車両には、多数の機能部品や電子機器等の車両搭載機器が備わっている。これらの機器等と、バッテリーからの電源を供給する電源線や機器間の信号の授受を行う信号線とは、電線の端末部に接続された端子金具を収容する雄型コネクタハウジングと雌型コネクタハウジングの双方を嵌合することにより電気的に接続されている。コネクタハウジングには、耐熱性、防水性、耐久性などに優れていることが要求されており、電気的接続性が長期に亘り維持できるものが使用されている。
【０００３】
コネクタハウジングには、電気接続箱に収容されて用いられるものや、ブラケット等の車体パネルに固定されるものなどがある。車体パネルに固定されるコネクタハウジングには、クリップなどの取付部が備わっており、この取付部はコネクタハウジングに一体に形成されたものと、別体に形成されたものとがある。
【０００４】
取付部とコネクタハウジングとが一体に形成されたものは、コネクタハウジングの部品点数が減少し、ハウジング構造が簡易になるなどの利点があるものの、他方、車種によって車体パネルの仕様が変わると、コネクタハウジング自体を変更しなければならず、互換性がないという不便な点がある。これに対して、取付部とコネクタハウジングとが別体に形成されたものは、部品点数が多くなるなどの不便な点はあるものの、車体パネルの取付仕様が変わっても、取付部だけを交換すれば同じコネクタハウジングをそのまま使用することができ、コネクタハウジングを共通使用することができるという利点がある。
【０００５】
取付部とコネクタハウジングとが別体に形成されたコネクタ用取付アダプタに関する従来の一例として、特開平８−３２６７２６号公報に記載されたものが知られている。
【０００６】
図８に示すように、コネクタ用取付アダプタ６０は、図示しない車体パネル等に係着可能な係止脚６３を有するクリップ６２と、コネクタハウジング７５に取付可能な平板状の取付部６７とが樹脂成形により一体に形成されている。
【０００７】
クリップ６２は、ほぼ四角形板状をなす基板６８の下面に係止脚６３を有しており、全体として笠状を成している。係止脚６３は、基板６８の下面に垂下状に突出する支柱部６４と、その支柱部６４の先端部から折り返し状に突出された左右一対（一方のみ図示）の係止爪６５と、その係止爪６５の先端部に形成された係止段部６５ａとを備えている。
【０００８】
係止脚６３は、車体パネルの取付孔に押し込まれることによって支柱部６４とともに挿入され、その挿入完了にともない、係止爪６５が拡開変形することによって、係止段部６５ａが取付孔に抜け止め状態に係合する。
【０００９】
取付部６７は、左右の係合翼片６９と、両係合翼片６９とほぼＨ字状を成すように連接する係合片７０と、両係合翼片６９と前記基板６８とを連設する側壁７１とを有している。両側壁７１は、両係合翼片６９の係合片７０から前方の内側端縁部分を基板６８に連設している。両係合翼片６９の後部外側部分は、後方に向かって横幅を狭くするテーパ状に形成されている。
【００１０】
両側壁７１の前端部には、その側壁７１相互間を塞ぐ誤挿入防止壁７２が連設されている。この誤挿入防止壁７２の下端部は基板６８の前縁部に連設しているとともに、その上端縁は係合翼片６９の上面よりも低い高さとなっている。
【００１１】
次に、コネクタ用取付アダプタ６０の作用について説明する。図９に示すように、取付部６７の前端部をコネクタハウジング７５の受入部７６の開口に臨ませた状態で、その取付部６７を挿入方向へスライドさせて受入部７６に挿入する。この挿入に伴い、コネクタハウジング７５の係合舌片７７の撓み変形を利用し、係合片７０を係合舌片７７の係合突起７８に抜け止め状態に係合させ、コネクタ用取付アダプタ６０をコネクタハウジング７５に嵌合する。
【００１２】
【発明が解決しようとする課題】
しかしながら、上記従来のコネクタ用取付アダプタ６０では、解決すべき以下の問題点がある。
【００１３】
一つには、コネクタ用取付アダプタ６０には撓み空間（空きスペース）８０や笠状のクリップ６２が形成されているゆえ、コネクタ用取付アダプタ６０が肥大化するという問題がある。自動車のエンジン室やインストルメントパネル廻りには、多数の機能部品や電子機器が搭載されているため、余分な空きスペースはなく、ダッシュボードなどの取付パネルに取り付けられるコネクタハウジング７５が突出していたのでは、これらの機器等と干渉することがあり、取付作業性が悪いだけでなく、コネクタハウジング７５を取り付けることができないこともある。
【００１４】
また一つには、コネクタ用取付アダプタ６０をコネクタハウジング７５に取り付けた状態において、撓み空間８０が存するため、不用意に係合片７０と係合突起７８との係止が外れたり、悪路走行時の車両ボディの振動に起因して、コネクタハウジング７５にがたつきを生じるという心配もある。
【００１５】
本発明は、上記した点に鑑み、異なる仕様の取付パネルに同一のコネクタハウジングを固定して部品の共通化を図ることができ、本体を小型化して設置スペースの省スペース化を図ることができ、しかもコネクタハウジングを取付パネルにがたつきなく固定することができるコネクタ用取付アダプタを提供することを目的とする。
【００１６】
【課題を解決するための手段】
上記目的を達成するために、請求項１記載の発明は、取付パネルに嵌合する本体と、コネクタハウジングに嵌合する取付部とを備え、該取付パネルに該コネクタハウジングを固定させるためのコネクタ用取付アダプタにおいて、前記取付部には、前記コネクタハウジングに係合する可撓舌片部が設けられ、前記本体には、前記取付パネルを受け入れるパネル受入部と、該可撓舌片部に対向する開口部とが設けられ、係合時に該可撓舌片部が撓んだ際に該可撓舌片部が該開口部に進入し、かつ、前記パネル受入部が前記取付パネルを受け入れた際に、前記開口部が塞がれ、前記可撓舌片部の撓みが規制又は阻止されることを特徴とする。
【００１７】
上記構成によれば、コネクタ用取付アダプタは、本体と取付部とを備えているから、取付部はコネクタハウジングに嵌合し、本体は取付パネルに嵌合し、これによって、コネクタハウジングが取付パネルに固定される。このため、車種や自動車メーカ等の違いにより取付パネルの仕様が異なる場合であっても、コネクタ用取付アダプタを取付パネルの仕様に合ったものに交換するだけで、同じコネクタハウジングを異なる仕様の取付パネルに固定することができる。また、取付部には可撓舌片部が設けられ、本体には可撓舌片部に対向する開口部が設けられているから、可撓舌片部の撓み空間を開口部の開口空間が兼ねる。すなわち、コネクタハウジングに取付部を嵌合させると、可撓舌片部の先端部が開口部の開口空間に進入し、かつ、パネル受入部の挿入空間に突出する。このため、コネクタ用取付アダプタには、可撓舌片部の撓み空間を形成する必要がない。さらに上記構成によれば、取付パネルによって開口部が塞がれ、可撓舌片部の撓みが規制又は阻止されるから、取付部がコネクタハウジングから不用意に抜け外れることが防止されて、コネクタハウジングを取付パネルに確実に固定することができる。
【００２０】
また、請求項２記載の発明は、請求項１記載のコネクタ用取付アダプタにおいて、前記取付部が前記コネクタハウジングに形成されたスライド挿入部にスライド嵌合し、前記可撓舌片部が該スライド挿入部に設けられた係止突起に当接して撓むことを特徴とする。
【００２１】
上記構成によれば、可撓舌片部がコネクタハウジングのスライド挿入部に設けられた係止突起に当接して撓むことで、可撓舌片部がパネル受入部の開口部に進入し、さらに取付部が奥側にスライドすることで、可撓舌片部が係止突起を乗り越えて、可撓舌片部が係止突起に係合して、取付部がコネクタハウジングに嵌合する。
【００２２】
また、請求項３記載の発明は、請求項２又は３記載のコネクタ用取付アダプタにおいて、前記パネル受入部に、前記取付パネルを受け入れる挿入空間に突出する係止突起が設けられたことを特徴とする。
【００２３】
上記構成によれば、パネル受入部の挿入空間に突出する係止突起を設けることで、パネル受入部にスライド挿入された取付パネルが係止突起に係合し、本体が取付パネルに嵌合する。
【００２４】
また、請求項４記載の発明は、請求項２又は３記載のコネクタ用取付アダプタにおいて、前記取付部には、前記本体に支柱部を介して連なり、前記スライド挿入部に嵌合するガイド部が設けられたことを特徴とする。
【００２５】
上記構成によれば、取付部にはガイド部が設けられているから、スライド挿入部に取付部を嵌合させると、スライド方向に直交する方向の位置決めが行われ、取付部をコネクタハウジングに確実に係合させることができる。
【００２６】
【発明の実施の形態】
以下に本発明の実施の形態の具体例を図面を用いて詳細に説明する。
図１〜図６は、本発明に係るコネクタ用取付アダプタ（以下、「アダプタ」という）１０の一実施形態を示すものである。
【００２７】
アダプタ１０は、車両ボディやブラケット（取付パネル）５７等に固定されるアダプタ本体（本体）１５と、端子金具を収容するコネクタ４０に固定されるコネクタ取付部（取付部）３０とを一体的に備えて構成されている。図６には、アダプタ１０を介して、コネクタ４０がブラケット５７に固定された状態が示されている。以下、アダプタ１０及びコネクタ４０の構成、アダプタ１０の作用について、順次説明していくこととする。
【００２８】
図１に示すように、アダプタ本体１５は、内部に挿入空間２２（図２）を有する略矩形筒状をなし、上面１６ａと、下面１６ｂと、上面１６ａと下面１６ｂの縁部を繋ぐ側面１６ｃとから外面が形成されている。上面１６ａには、支柱部３１を介してコネクタ取付部３０が形成されている。コネクタ取付部３０については後述する。
【００２９】
図２に示すように、下面１６ｂは、両側のガイドレール１８と、ガイドレール１８の先端部を繋ぐ架橋部１９とを残して開口形成されている。ガイドレール１８と架橋部１９とを繋ぐコの字状の下面１６ｂは、平坦面に形成されている。下面１６ｂに開口を形成したのは、パネル受入部１７の適度な弾性変形を許容して、ブラケット５７（図６）を容易にスライド挿入させるためである。側面１６ｃは、コの字状の下面１６ｂに沿って形成されている。ブラケット５７を受け入れるパネル受入部１７の入口側の側面１６ｃは、開口している（図２）。
【００３０】
パネル受入部１７は、両側のガイドレール１８と、架橋部１９とにより挿入空間２２が区画形成されている。ガイドレール１８の内側には、板状のブラケット５７が挿入された際に抜け落ちないように鉤状のガイド溝１８ａが形成されている。
【００３１】
パネル受入部１７の奥側には、ロックアーム（可撓舌片部）３２の撓み空間３５を兼ねる開口部２３が設けられている。開口部２３は、矩形状をなし、上下方向に貫通して形成されている。開口空間２４の上方には、ロックアーム３２が臨んでいる。開口部２３の開口空間２４の大きさは、ロックアーム３２の先端部が進入することができる程度の大きさに形成されている。
【００３２】
パネル受入部１７の開口部２３寄りの位置には、断面視台形状の係止突起２７が挿入空間２２に突出して形成されている。この係止突起２７は、ブラケット５７のスライド方向Ｚ反対側を向く傾斜面２７ｂと、平坦面２７ｃを介して傾斜面２７ｂに続く垂直係止面（図３）２７ａと、両側の側面とから外面が形成されている。パネル受入部１７に挿入されたブラケット５７は、先ず最初に傾斜面２７ｂに乗り上げ、そして押されることで奥側に進入し、さらに進入することで、その取付孔（図６）５７ａの縁部が垂直係止面２７ａに係止されるようになっている。係止突起２７の高さは、高すぎず低すぎず、ブラケット５７が抜け止め状態に取り付けられるように突出形成されている。
【００３３】
ガイド溝１８ａの奥側には、ブラケット５７の先端部に当接または近接するストッパー壁２１が形成されている。ストッパー壁２１により、ブラケット５７の長手方向の位置決めが行われ、ブラケット５７の取付孔５７ａに係止突起２７が係合して、ブラケット５７が固定されるようになっている。
【００３４】
パネル受入部１７の幅、長さ、深さ等の諸寸法や係止突起２７の位置等は、車種の違い等によるブラケット５７の仕様に応じて変わり得るものであり任意である。例えば、ブラケット５７の板厚が厚い場合などは、挿入空間２２を拡大する必要があり、また、ブラケット５７の取付孔５７ａの位置が異なる場合には、それに合わせて係止突起２７の位置を変える必要がある。なお、開口部２３の位置や大きさは、ブラケット５７の仕様が変わってもほとんど変化することはなく、ロックアーム３２の下側（裏側）に対向して位置する。また、アダプタ１０は、ブラケット５７に限らず、図示しないジャンクションボックス等の電気接続箱の壁部に固定してもよい。
【００３５】
ここで、本発明の説明の都合上、前後方向（長手方向）、上下方向（高さ方向）、左右方向（幅方向）の概念について定めることとする。前とはスライド方向Ｚの前方とし、後とはスライド方向Ｚの後方とする。上とはコネクタ取付部３０の備わる側とし、下とはアダプタ本体１５の備わる側をいうものとする。左右は前後及び上下に直交する方向とし、対称形状であるため左右の区別はしないこととする。
【００３６】
次に、コネクタ取付部３０について説明する。
再び図１に示すように、コネクタ取付部３０は、コネクタ４０のスライド挿入部（図７）５２に嵌合する諸寸法に形成されており、支柱部３１を介しアダプタ本体１５の上面１６ａに連なるガイドプレート（ガイド部）３６と、ガイドプレート３６に続く自由端部であるロックアーム３２とから構成されている。ガイドプレート３６は、アダプタ本体１５に対し平行に、かつ、浮き上がった状態に形成されている。ガイドプレート３６の幅方向両側には、翼片３７が突出して形成されている。
【００３７】
両側の翼片３７の幅は、アダプタ本体１５の幅より幅狭に形成されており、翼片３７の長手方向の長さは、支柱部３１の長さより若干短く形成されている。これらの寸法は、スライド挿入部５２の取付仕様に応じて定まる寸法であり、任意である。また、翼片３７の支柱部３１側面からの突出量（突出長さ）や、翼片３７の板厚なども任意である。ガイドプレート３６をスライド挿入部５２に嵌合させた際に、翼片３７が変形したり破損したりすることがない程度の強度が担保されていればよい。
【００３８】
ガイドプレート３６上面３６ａの後端部には、幅方向中間部に位置する押圧部３８が設けられている。この押圧部３８は、断面視三角形状をなし、スライド方向Ｚに向かうにしたがい漸次降下する傾斜面３８ａを備えている。傾斜面３８ａの後方には、平坦なランド面３８ｂが形成されている。このため、アダプタ１０をコネクタ４０のスライド挿入部５２に挿入させると、挿入直後は、アダプタ１０がスライド挿入部５２に抵抗なくスムーズ挿入するが、アダプタ１０が奥側に進むと、押圧部３８の傾斜面３８ａが押圧力を作用させながらスライド挿入部５２の内壁面５２ａ（図７）に当接し、挿入抵抗が漸次増大し、スライド挿入部５２の係合突起（図６）５３にロックアーム３２の孔部３３が係合して、アダプタ１０がコネクタ４０にがたつきなく嵌合する。
【００３９】
ロックアーム３２は、支柱部３１と一体に連なり、ガイドプレート３６の先端側に続いている。このロックアーム３２は舌片状をなし、開口部２３の縁部に連なる根本側を支点として、撓み可能に突出形成されている。ロックアーム３２には、中間部にコネクタ４０の係合突起５３と係合する矩形状の孔部３３と、当接面３４ｂを有する係止部３４とが形成されている。当接面３４ｂとは反対側の係止部３４の側面には、係止面３４ａが形成されており、この係止面３４ａが係合突起５３の係合面５３ａに当接するようになっている。
【００４０】
ロックアーム３２の下側には、その撓み変形を許容する撓み空間３５が形成されている。この撓み空間３５は、開口部２３の開口空間２４でもあり、パネル受入部１７の挿入空間２２に連通している。すなわち、開口空間２４及び挿入空間２２がロックアーム３２の撓み空間を兼ねており、ロックアーム３２が下方（開口部２３側）に撓んだ際には、その先端部が開口空間２４に進入し、そしてパネル受入部１７にその先端を突出させる。
【００４１】
次に、アダプタ１０が取り付けられるコネクタハウジング４１について説明する。コネクタハウジング４１は、電線５１の端末部に接続された図示しない端子を内部に収容して、コネクタ４０を構成する。図７には、一例として雌型のコネクタハウジング４１が示されている。なお、雌型のコネクタハウジング４１に限定されるものではなく、雄型のコネクタハウジング５９にスライド挿入部５２を形成してもよい（図６）。また、コネクタハウジング４１の形態についても、特定の形態に限定されるものではなく、内部に端子収容室４３を備えているものであればよい。
【００４２】
図示するように、コネクタハウジング４１は、雄型のコネクタハウジング５９に対する嵌合部（図面上、右側の前半部）４４と、嵌合部４４の後方に続く収容部（図面上、左側の後半部）４２とを備えて構成されている。嵌合部４４は、嵌合空間４５を有する嵌合フード４６を備えている。嵌合空間４５には、雄型コネクタハウジング５９が嵌入するようになっている。嵌合空間４５の奥側は、端子収容室４３に続いている。収容部４２の内側には、複数の端子収容室４３が区画形成されている。端子収容室４３に収容された雄型端子は、タブ状の先端部を嵌合空間４５に突出させ、雄型コネクタハウジング５９に収容された雌型端子（図示せず）と電気的に接続するようになっている。嵌合部４４と収容部４２とは、底壁（壁部）４２ａ，４６ａが面一で連なっている。
【００４３】
収容部４２の底壁４２ａには、アダプタ１０がスライド嵌合するスライド挿入部５２が設けられている。このスライド挿入部５２は、ガイド溝５５ａを有するリニアガイド５５と、リニアガイド５５の前方に位置し、挿入空間に突出する係合突起５３とを備えている。リニアガイド５５は、内側にガイド溝５５ａを有しているため、断面視Ｌ字状を成している。両側のリニアガイド５５に挟まれた空間は、アダプタ１０のコネクタ取付部３０に対する挿入空間５６を形成している。係合突起５３には、ロックアーム３２に形成された孔部３３が係合し、アダプタ１０をコネクタハウジング４１に嵌合させる。係合突起５３は、コネクタ取付部３０のスライド方向Ｚの後方に位置する傾斜面５３ｂと、前方に位置する係合面５３ａとを備えている。傾斜面５３ｂにはロックアーム３２の当接面３４ｂが摺接し、係合面５３ａにはロックアーム３２の係止面３４ａが当接する。
【００４４】
嵌合フード４６の上壁４６ｂには、雄型コネクタハウジング５９に形成されたロックアームと対応する位置に、ロック部４７が形成されている。このロック部４７には、ロックアームに形成された凹部が係合して、一組の雄雌コネクタハウジング４１，５９のロックが完了し、電気的接続が行われるようになっている。
【００４５】
嵌合フード４６の両側の側壁には、雄型コネクタハウジング５９に嵌合する際の位置ずれを防止するためのガイドリブ４８が設けられている。ガイドリブ４８は、嵌合フード４６の開口端部４９から後端部５０に向けて真直に形成されている。このガイドリブ４８が、雄型コネクタハウジング５９のガイド溝（図示せず）に嵌合することで、嵌合時のがたつきが防止され、スムーズに嵌合が行われるようになっている。
【００４６】
次に、図４〜図６に基づいて、上述したアダプタ１０の作用について説明する。
図４には、アダプタ１０をコネクタハウジング４１に嵌合させたときの、初期状態が示されている。先ず、コネクタ取付部３０をスライド挿入部５２（図７）の開口から嵌入させると、ガイドプレート３６の両翼片３７（図１）がリニアガイド５５のガイド溝５５ａ（図７）に案内されて、幅方向にアダプタ１０が位置決めされる。そして、アダプタ１０をスライド方向Ｚに押し込むと、アダプタ１０のロックアーム３２の当接面３４ｂが係合突起５３の傾斜面５３ｂに当接する位置まで進入する。
【００４７】
図４に示された状態から、アダプタ１０をさらに押し込んだ状態が図５に示されている。図示するように、ロックアーム３２の当接面３４ｂが係合突起５３の傾斜面５３ｂに当接した後、当接面３４ｂが傾斜面５３ｂに沿って滑り、ロックアーム３２がその根本側を支点として下向きに撓む。ロックアーム３２の先端部が、開口部２３の開口空間２４に進入するとともに、パネル受入部１７の挿入空間２２に突出する。すなわち、開口部２３の開口空間２４はロックアーム３２の撓み空間３５を兼ね、ロックアーム３２の進入を許容している。
【００４８】
図５に示された状態から、アダプタ１０を更に押し込んだ状態が図６に示されている。図示するように、ロックアーム３２の係止部３４が、係合突起５３を乗り越え、弾性復元することで元の状態に復帰する。この状態は、ガイドプレート３６の押圧部３８がその楔作用でスライド挿入部５２の内壁面５２ａを強く押圧している状態であり、コネクタ取付部３０が、スライド挿入部５２にがたつき無く嵌合する。他方、押圧部３８はスライド挿入部５２からの反力を受け、ロックアーム３２の係止部３４がやや上方に持ち上がり、係止部３４と係合突起５３とが深く係合する。
【００４９】
続いて、パネル受入部１７の開口から、ブラケット５７を挿入する。ブラケット５７が、ガイド溝１８ａに案内されながらパネル受入部１７の挿入空間２２を奧へ進入し、その先端部を係止突起２７の傾斜面２７ｂに当接させる。この状態から、ブラケット５７を強く押し込むと、ブラケット５７が係止突起２７を上方へ弾性変形させながら、ストッパー壁２１に当接又は近接する位置まで進入し、ブラケット５７の取付孔５７ａが係止突起２７に係合する。パネル受入部１７の開口部２３は、ブラケット５７によってその開口が塞がれ、ロックアーム３２の撓みが阻止又は規制される。
【００５０】
【発明の効果】
以上の如く、請求項１記載の発明によれば、コネクタハウジングがコネクタ用取付アダプタを介して取付パネルに固定されるため、コネクタ用取付アダプタを取付パネルの仕様に合ったものに交換するだけで、同一のコネクタハウジングを異なる仕様の取付パネルに取り付けることができる。また、アダプタ本体には可撓舌片部に対向する開口部が設けられているから、可撓舌片部の撓み空間を開口部の開口空間が兼ねる。
【００５１】
従って、可撓舌片部の撓み空間を形成する必要がなく、コネクタ用取付アダプタを小型化することができ、しかもコネクタ設置スペースの省スペース化を図ることができる。
【００５２】
また、請求項２記載の発明によれば、取付パネルによって開口部が塞がれ、可撓舌片部の撓みが規制又は阻止されることで、コネクタ取付部がコネクタハウジングから不用意に抜け外れることが防止される。従って、請求項１記載の発明の効果に加え、コネクタハウジングを取付パネルに確実に固定することができる。
【００５３】
また、請求項３記載の発明によれば、可撓舌片部が、パネル受入部の開口部に進入し、係止突起を乗り越えた後、係止突起に係合して、取付部がコネクタハウジングに嵌合する。従って、取付部を肥大化させることなく、少ないスペースで取付部とコネクタハウジングとを嵌合させることができる。
【００５４】
また、請求項４記載の発明によれば、パネル受入部にスライド挿入された取付パネルが係止突起に係合し、本体が取付パネルに嵌合する。従って、本体を肥大化させることなく、少ないスペースで本体と取付パネルとを嵌合させることができる。
【００５５】
また、請求項５記載の発明によれば、コネクタ取付部にガイド部を設けることで、スライド挿入部に取付部を取り付ける際、スライド方向に直交する方向の位置決めを行うことができる。従って、スライド挿入部に取付部を確実に係合させることができる。
【図面の簡単な説明】
【図１】本発明に係るコネクタ用取付アダプタの一実施形態を示す斜視図である。
【図２】図１に示すコネクタ用取付アダプタの向きを変え、アダプタ本体を示す斜視図である。
【図３】同じくコネクタ用取付アダプタのＡ−Ａ線に沿って切断した断面図である。
【図４】同じくコネクタ用取付アダプタをコネクタハウジングのスライド挿入部に完全嵌合する前の状態を示す断面図である。
【図５】同じくコネクタ用取付アダプタをコネクタハウジングのスライド挿入部に完全嵌合する前の状態であり、かつ、ロックアームが撓んだ状態を示す断面図である。
【図６】同じくコネクタ用取付アダプタをコネクタハウジングに完全嵌合し、さらにブラケットを嵌合させた状態を示す断面図である。
【図７】図４〜図６に示す雌型コネクタハウジングを示す斜視図である。
【図８】従来のコネクタ用取付アダプタの一例を示す斜視図である。
【図９】図７に示すコネクタ用取付アダプタをコネクタハウジングに嵌合する状態を示す斜視図である。
【符号の説明】
１０                アダプタ（コネクタ用取付アダプタ）
１５                アダプタ本体（本体）
１７                パネル受入部
２３                開口部
３０                コネクタ取付部（取付部）
３１                支柱部
３２                ロックアーム（可撓舌片部）
３４                係止部
３５                撓み空間
３６                ガイドプレート（ガイド部）
３７                翼片
３８                押圧部
３８ａ              傾斜面
４０                コネクタ
４１                コネクタハウジング
４２ａ，４６ａ      底壁（壁部）
５２                スライド挿入部
５２ａ              内壁面
５７                ブラケット（取付パネル）
Ｚ                  スライド方向
【図１】
0003693966.tif 000002
【図２】
0003693966.tif 000003
【図３】
0003693966.tif 000004
【図４】
0003693966.tif 000005
【図５】
0003693966.tif 000006
【図６】
0003693966.tif 000007
【図７】
0003693966.tif 000008
【図８】
0003693966.tif 000009
【図９】
0003693966.tif 000010